(57)【要約】【課題】電熱線にかかる負荷を小さくすることのできるマッサージ機を提供する。【解決手段】マッサージ機１は、シート５３上に配置される電熱線７０に対して足裏を幅方向に移動させる右側部エアバッグ３４および左側部エアバッグ３５を有する。そして、電熱線７０の蛇行部分７１の幅方向に沿う幅長さを合計した長さは足奥行方向に沿う奥行長さを合計した長さよりも大きい。【選択図】図４
2013106819.tif 000002
【特許請求の範囲】
【請求項１】
電熱線およびこの電熱線が配置される配置面を有するマッサージ機において、
前記マッサージ機は、前記電熱線に対して生体を移動させる移動機構を有し、
前記配置面上において互いに直交する方向をＡ方向およびＢ方向として、前記移動機構は、前記生体を前記配置面上において前記Ａ方向に移動させ、前記Ａ方向に沿う前記電熱線の長さは、前記Ｂ方向に沿う前記電熱線の長さよりも大きい。
【請求項２】
電熱線およびこの電熱線が配置される配置面を有するマッサージ機において、
前記マッサージ機は、前記電熱線に対して生体を移動させる移動機構を有し、
前記配置面上において互いに直交する方向をＡ方向およびＢ方向として、前記移動機構は、前記生体を前記配置面上において前記Ａ方向および前記Ｂ方向に移動させ、
前記移動機構が前記生体を前記Ａ方向に移動させる移動量は、前記移動機構が前記生体を前記Ｂ方向に移動させる移動量よりも大きく、
前記Ａ方向に沿う前記電熱線の長さは、前記Ｂ方向に沿う前記電熱線の長さよりも大きい。
【請求項３】
請求項１または２において、
前記マッサージ機は、足裏を支持する足支持部を有するオットマンであり、
前記移動機構は、前記電熱線に対して前記生体としての前記足裏を移動させる。
【請求項４】
請求項１〜３のいずれか一項において、
前記Ａ方向は、前記マッサージ機の幅方向である。
【請求項５】
請求項１〜４のいずれか一項において、
前記移動機構として、第１移動機構および第２移動機構を有し、
前記第１移動機構および前記第２移動機構は、互いに対向する。
【請求項６】
請求項１〜５のいずれか一項において、
前記マッサージ機は、前記配置面から突出する施術突起を有する。
【請求項７】
請求項１〜６のいずれか一項において、
前記移動機構は、エアバッグである。
【請求項８】
請求項１〜７のいずれか一項において、
前記マッサージ機は、椅子型マッサージ機である。
【発明の詳細な説明】
【技術分野】
【０００１】
本発明は、電熱線および電熱線が配置される配置面を有するマッサージ機に関する。
【背景技術】
【０００２】
特許文献１のマッサージ機は、足裏に温感を付与する電熱線を備える。
【先行技術文献】
【特許文献】
【０００３】
【特許文献１】特開２００７−３１２８５７号
【発明の概要】
【発明が解決しようとする課題】
【０００４】
上記マッサージ機において足裏が電熱線に対して移動する場合、電熱線に負荷がかかる。なお、生体としての足裏以外の部位を移動させるマッサージ機においても同様の課題が生じる。
【０００５】
本発明は、上記課題を解決するため、電熱線にかかる負荷を小さくすることのできるマッサージ機を提供することを目的とする。
【課題を解決するための手段】
【０００６】
・本発明のマッサージ機は、電熱線およびこの電熱線が配置される配置面を有するマッサージ機において、前記マッサージ機は、前記電熱線に対して生体を移動させる移動機構を有し、前記配置面上において互いに直交する方向をＡ方向およびＢ方向として、前記移動機構は、前記生体を前記配置面上において前記Ａ方向に移動させ、前記Ａ方向に沿う前記電熱線の長さは、前記Ｂ方向に沿う前記電熱線の長さよりも大きいことを特徴としている。
【０００７】
・本発明のマッサージ機は、電熱線およびこの電熱線が配置される配置面を有するマッサージ機において、前記マッサージ機は、前記電熱線に対して生体を移動させる移動機構を有し、前記配置面上において互いに直交する方向をＡ方向およびＢ方向として、前記移動機構は、前記生体を前記配置面上において前記Ａ方向および前記Ｂ方向に移動させ、前記移動機構が前記生体を前記Ａ方向に移動させる移動量は、前記移動機構が前記生体を前記Ｂ方向に移動させる移動量よりも大きく、前記Ａ方向に沿う前記電熱線の長さは、前記Ｂ方向に沿う前記電熱線の長さよりも大きいことを特徴としている。
【０００８】
・このマッサージ機において、前記マッサージ機は、足裏を支持する足支持部を有するオットマンであり、前記移動機構は、前記電熱線に対して前記生体としての前記足裏を移動させることが好ましい。
【０００９】
・このマッサージ機において、前記Ａ方向は、前記マッサージ機の幅方向であることが好ましい。
・このマッサージ機において、前記移動機構として、第１移動機構および第２移動機構を有し、前記第１移動機構および前記第２移動機構は、互いに対向することが好ましい。
【００１０】
・このマッサージ機において、前記マッサージ機は、前記配置面から突出する施術突起を有することが好ましい。
・このマッサージ機において、前記移動機構は、エアバッグであることが好ましい。
【００１１】
・このマッサージ機において、前記マッサージ機は、椅子型マッサージ機であることが好ましい。
【発明の効果】
【００１２】
本発明は、電熱線にかかる負荷を小さくすることのできるマッサージ機を提供する。
【図面の簡単な説明】
【００１３】
【図１】本発明の一実施形態のマッサージ機について、その斜視構造を示す斜視図。
【図２】同実施形態のマッサージ機のオットマンについて、その斜視構造を示す斜視図。
【図３】同実施形態のマッサージ機のオットマンについて、図２の３−３線に沿う断面構造を示す断面図。
【図４】同実施形態のマッサージ機のオットマンについて、足裏支持部の平面構造を示す平面図。
【図５】同実施形態のマッサージ機のオットマンについて、足裏支持部の一部の平面構造を示す平面図。
【図６】その他の実施形態のマッサージ機のオットマンについて、足裏支持部の一部の平面構造を示す平面図。
【発明を実施するための形態】
【００１４】
図１を参照して、足裏に温感を付与するマッサージ機１の構成を説明する。
椅子型のマッサージ機１は、体幹を支持するチェア１０と、下肢を支持するオットマン２０とを有する。またこの他に、チェア１０およびオットマン２０の各装置を制御する制御装置と、使用者がチェア１０およびオットマン２０を操作するためのコントローラとを有する（いずれも図示略）。なお、足裏は「生体」に相当する。
【００１５】
チェア１０は、臀部を支持する座部１１と、背中を支持する背もたれ１２と、腕を支持する肘掛１３とを有する。背もたれ１２は、背中を施術する施術機構１４を有する。施術機構１４は、背中をもみほぐす施術子１５と、施術子１５を駆動させる駆動部１６とを有する。
【００１６】
オットマン２０は、脚を支持する脚支持部３０と、足を支持する足支持部４０とを有する。脚支持部３０と足支持部４０とは、脚支持部３０の接続部３３により互いに接続されている。
【００１７】
マッサージ機１について次の用語を定義する。
（Ａ）マッサージ機１の幅方向を「幅方向」とする。なお、幅方向は「Ａ方向」に相当する。
（Ｂ）幅方向において、チェア１０に着座した使用者から見て右の方向を「右方」とし、同使用者から見て左の方向を「左方」とする。
（Ｃ）足支持部４０の短手方向を「足奥行方向」とし、足奥行方向および幅方向に直交する方向を「足高さ方向」とする。なお、足奥行方向は「Ｂ方向」に相当する。
（Ｄ）足奥行方向において、踵から足指に向かう方向を「前方」とし、足指から踵に向かう方向を「後方」とする。
（Ｅ）足高さ方向において、足から下腿に向かう方向を「上方」とし、下腿から足に向かう方向を「下方」とする。
【００１８】
脚支持部３０は、脚の側面を支持する３つの脚側壁３１と、下腿を支持する脚背壁３２と、脚側壁３１と足支持部４０とを互いに接続する接続部３３とを有する。また、脚を施術するエアバッグとして、右下腿および左下腿を右方側から施術する右側部エアバッグ３４と、右下腿および左下腿を左方側から施術する左側部エアバッグ３５と、右下腿および左下腿をそれぞれ後方側から施術する後部エアバッグ３６とを有する。なお、右側部エアバッグ３４および左側部エアバッグ３５は「移動機構」および「エアバッグ」に相当する。また、右側部エアバッグ３４および左側部エアバッグ３５の一方は「第１移動機構」に相当する。また、右側部エアバッグ３４および左側部エアバッグ３５の他方は「第２移動機構」に相当する。
【００１９】
脚側壁３１は、右脚の右方の側面を支持する脚側壁３１と、左脚の左方の側面を支持する脚側壁３１と、右脚の左方の側面および左脚の右方の側面を支持する脚側壁３１とを有する。
【００２０】
足支持部４０は、足裏を支持する部分の本体としての支持部本体４１と、右足裏を支持する足裏支持部５０と、左足裏を支持する足裏支持部５０と、各足裏に温感を付与する電熱線７０とを有する。また、足支持部４０の各要素を覆うカバーとして、支持部本体４１を覆う第１カバー４４と、第１カバー４４のうちの各足裏支持部５０に対応する部分を覆う２枚の第２カバー４５とを有する。
【００２１】
図２を参照して、足支持部４０の詳細な構成について説明する。
支持部本体４１は、各足裏支持部５０が載せられる足底壁４２と、右足の右方への移動を規制する足側壁４３と、左足の左方への移動を規制する足側壁４３とを有する。
【００２２】
足底壁４２は、その上面において右足用および左足用の足裏支持部５０を有する。右足用の足裏支持部５０と左足用の足裏支持部５０とは、隙間を介して直接的に対向している。すなわち支持部本体４１は、各足の幅方向への移動を規制する側壁を右足用の足裏支持部５０と左足用の足裏支持部５０との間に有していない。
【００２３】
第１カバー４４は、各足裏支持部５０の前方および後方の端部に対応する部分において、それぞれ第１面ファスナ４４Ａを有する。第２カバー４５は、その前方および後方の端部においてそれぞれ第２面ファスナ４５Ａを有する。これにより、マッサージ機１の使用者は、第２カバー４５を第１カバー４４に取り付けること、および第２カバー４５を第１カバー４４から取り外すことができる。
【００２４】
図１を参照して、チェア１０およびオットマン２０の制御について説明する。
制御装置は、コントローラから送信された信号に基づいて、施術機構１４、右側部エアバッグ３４、左側部エアバッグ３５、後部エアバッグ３６、施術突起５１、および電熱線７０を制御する。
【００２５】
マッサージ機１は、コントローラの操作により選択することのできる複数の動作モードが予め用意されている。また、マッサージ機１は、動作モードを実行しているとき、電熱線７０による足裏への温感の付与を行う。なお、動作モードにともない行なわれる電熱線７０の制御とは別に、コントローラの操作により電熱線７０のオンおよびオフを選択することもできる。
【００２６】
動作モードとしては、施術機構１４の動作、各エアバッグ３４〜３６の動作、施術突起５１の動作のうちの１つの動作から構成される３つの動作モード、およびこれら３つの動作のうちの２つまたは３つの動作を組み合わせた４つの動作モードの計７つの動作モードが用意されている。
【００２７】
図３を参照して、足裏支持部５０の詳細な構成について説明する。なお、図３は、第１カバー４４の第１面ファスナ４４Ａおよび第２カバー４５の第２面ファスナ４５Ａを省略した足裏支持部５０を示している。
【００２８】
各足裏支持部５０は、足裏に刺激を付与する施術突起５１と、施術突起５１を足底壁４２（図２参照）に対して高さ方向に移動させるエアバッグ５２と、施術突起５１の一部およびエアバッグ５２を収容する取付台６０とを有する。またこの他に、足裏に温感を付与する電熱線７０の一部と、電熱線７０を配線するためのシート５３とを有する。なお、シート５３は「配置面」に相当する。
【００２９】
電熱線７０は、電熱線７０の下方の半分がシート５３に埋め込まれ、電熱線７０の上方の半分がシート５３から露出するように配線されている。電熱線７０の太さは、取付台６０に対応する部分の全体にわたり径の大きさが同一のものが用いられている。
【００３０】
取付台６０は、足裏を支持する平面部６１と、平面部６１の下面側の空間を取り囲む側壁部６２とを有する。側壁部６２は、平面部６１の下面の縁に接続されている。平面部６１は、足奥行方向および幅方向の中間部分において、施術突起５１を挿入するための突起孔６３を有する。
【００３１】
取付台６０としては、樹脂材料により形成された剛体の高いものが用いられている。すなわち、外部から力が加えられたときに電熱線７０よりも変形しにくいものが用いられている。
【００３２】
取付台６０は、平面部６１と側壁部６２とにより囲まれた空間を有する。取付台６０の空間は、施術突起５１の下方の部分およびエアバッグ５２を収容している。エアバッグ５２は、足底壁４２と施術突起５１との間に形成されている。
【００３３】
施術突起５１は、突起孔６３に対してすきま嵌めされている。施術突起５１の先端部は、エアバッグ５２が最も収縮した状態において突起孔６３を介して平面部６１から外部に突出する。
【００３４】
施術突起５１のうちの平面部６１から突出している部分の高さ方向の大きさ（以下、「突出量」）は、エアバッグ５２の状態に応じて変化する。施術突起５１の突出量は、エアバッグ５２が最も膨張したとき最大となる。また、エアバッグ５２が最も収縮したとき最小となる。
【００３５】
図４に示されるように、シート５３は、左方の取付台６０に対応した配線部５３Ａと、右方の取付台６０に対応した配線部５３Ａと、左方の配線部５３Ａと右方の配線部５３Ａとを互いに連結する連結部５３Ｂとを有する。
【００３６】
シート５３の配線部５３Ａは、足奥行方向において取付台６０の前方の端部から取付台６０の後方の端部までにわたり配置される。また、幅方向において取付台６０の左方の端部から右方の端部までにわたり配置される。
【００３７】
配線部５３Ａは、取付台６０の突起孔６３に対応する部分において、突起孔６３よりも径が大きい開口部５３Ｃを有する。施術突起５１、突起孔６３、および開口部５３Ｃはそれぞれ同心円上に配置される。
【００３８】
図４を参照して、電熱線７０の配線について説明する。
電熱線７０は、足支持部４０において２つの足裏支持部５０に対して足Ｆの各部分に対応するように配線されている。また、１つの足裏支持部５０において施術突起５１を取り囲むように配線されている。
【００３９】
電熱線７０は、各足Ｆの足指から踵までに対応して幅方向に蛇行して配線される２つの蛇行部分７１と、２つの蛇行部分７１を互いに接続する接続部分７４とを有する。
蛇行部分７１は、幅方向に沿う６つの幅部分７２と、足奥行方向に沿う５つの奥行部分７３とを有する。また、後方から２番目の幅部分７２と３番目の幅部分７２とはそれぞれ施術突起５１の後方および前方に配置されている。右方の奥行部分７３の配置は、幅方向において一致する。また、左方の奥行部分７３の配置は、幅方向において一致する。なお、右脚と対応する蛇行部分７１は、右方の奥行部分７３を３つ、および左方の奥行部分７３を２つ有する。また、左脚と対応する蛇行部分７１は、右方の奥行部分７３を２つ、および左方の奥行部分７３を３つ有する。
【００４０】
図５を参照して、幅部分７２および奥行部分７３の長さについて説明する。なお、図５は、右脚と対応する足裏支持部５０を拡大して示している。左脚と対応する足裏支持部５０については、右脚と対応する足裏支持部５０と幅方向において対称の構成を有するため、図示を省略する。
【００４１】
ここで、蛇行部分７１の左方の奥行部分７３から右方の奥行部分７３までの長さを「配置幅ＬＸ」とする。また、蛇行部分７１の最も前方の幅部分７２から最も後方の幅部分７２までの長さを「配置奥行ＬＹ」とする。なお、配置幅ＬＸおよび配置奥行ＬＹは足裏の大きさに対応している。このため、配置幅ＬＸは、配置奥行ＬＹよりも小さい。
【００４２】
６つの幅部分７２の長さ（以下、「幅長さＬＡ」）を合計した長さは、配置幅ＬＸの６倍に等しい。また、５つの奥行部分７３の長さ（以下、「奥行長さＬＢ」）を合計した長さは、配置奥行ＬＹに等しい。幅長さＬＡを合計した長さは、奥行長さＬＢを合計した長さよりも大きい。また、蛇行部分７１のうちのＵ字を構成する２つの幅部分７２およびこれら幅部分７２の間の奥行部分７３を単位蛇行部分としたとき、１つの単位蛇行部分に含まれる幅部分７２の長さは、奥行部分７３の長さよりも大きい。
【００４３】
マッサージ機１の動作について説明する。
図１に示されるように、右側部エアバッグ３４および左側部エアバッグ３５は、エアバッグ３４〜３６が動作するモードが選択されているとき、交互に膨張および収縮を繰り返す。また、後部エアバッグ３６は常に膨張する。
【００４４】
脚および足裏は、右側部エアバッグ３４が膨張し、かつ左側部エアバッグ３５が収縮するとき、左方に移動する。また、右側部エアバッグ３４が収縮し、かつ左側部エアバッグ３５が膨張するとき、右方に移動する。足裏は、側部エアバッグ３４，３５により脚および足裏が幅方向に移動するとき、足裏支持部５０の表面を擦る。図４に示されるように、足裏の動きは、電熱線７０の幅部分７２および奥行部分７３に対して幅方向の力を付与する。すなわち、幅方向と直交する奥行部分７３にかかる負荷は、幅方向に沿う幅部分７２にかかる負荷よりも大きい。
【００４５】
図３に示されるように、エアバッグ５２は、施術突起５１が動作するモードが選択されているとき、膨張および収縮を繰り返す。エアバッグ５２が膨張するとき、施術突起５１の突出量は大きくなる。また、エアバッグ５２が収縮するとき、施術突起５１の突出量は小さくなる。
【００４６】
図１に示されるように、右側部エアバッグ３４および左側部エアバッグ３５と、施術突起５１とは、エアバッグ３４〜３６および施術突起５１が動作するモードが選択されているとき、互いに独立して動作する。すなわち、マッサージ機１は、右側部エアバッグ３４および左側部エアバッグ３５により脚および足裏を幅方向に移動させながら、施術突起５１により足裏への刺激を付与する。
【００４７】
本実施形態のマッサージ機１は以下の効果を奏する。
（１）足裏は、電熱線７０に対して移動するとき、電熱線７０に負荷を与える。このとき、足裏が電熱線７０に与える負荷は、移動方向に沿って配置される電熱線７０の部分に与える負荷よりも、移動方向と直交する方向に沿って配置される電熱線７０の部分に与える負荷が大きい。このため、足裏と対応する部分の電熱線７０は、足裏の移動方向に沿う長さよりも足裏の移動方向と直交する方向に沿う長さが大きいとき、電熱線７０の負荷が大きい。
【００４８】
マッサージ機１は、電熱線７０に対して足裏を幅方向に移動させる右側部エアバッグ３４および左側部エアバッグ３５を有する。電熱線７０の幅長さＬＡを合計した長さは、足奥行方向に沿う奥行長さＬＢを合計した長さよりも大きい。この構成によれば、電熱線７０の幅長さＬＡを合計した長さが奥行長さＬＢを合計した長さよりも小さい場合と比較して、足裏の移動による電熱線７０の負荷を小さくすることができる。
【００４９】
（２）右側部エアバッグ３４および左側部エアバッグ３５は、下腿を挟んで互いに対向する。この構成によれば、右側部エアバッグ３４と左側部エアバッグ３５を交互に駆動することにより下腿を幅方向に交互に移動させることができる。
【００５０】
（３）マッサージ機１は、足裏を押す施術突起５１を有する。この構成によれば、足裏を移動させることにより、足裏の複数の位置を施術突起５１が押すことができる。
（４）マッサージ機１は右側部エアバッグ３４および左側部エアバッグ３５により脚および足Ｆを移動させる。この構成によれば、右側部エアバッグ３４および左側部エアバッグ３５により、脚および足Ｆを移動させること、および脚を加圧して脚をマッサージすることができる。
【００５１】
（その他の実施形態）
本発明は、上記実施形態以外の実施形態を含む。以下、本発明のその他の実施形態としての上記実施形態の変形例を示す。なお、以下の各変形例は、互いに組み合わせることもできる。
【００５２】
・上記実施形態の電熱線７０は、足裏支持部５０において幅方向に沿う幅部分７２および足奥行方向に沿う奥行部分７３を有する蛇行部分７１を備える。一方、変形例（図６）の電熱線８０は、足裏支持部５０において幅方向および足奥行方向に対して傾斜する４つの傾斜部分８２を有する往復部分８１を有する。
【００５３】
ここで、往復部分８１の傾斜部分８２の右側の端部から左側の端部までの長さを「配置幅ＬＶ」とする。また、往復部分８１の最も前方の端部から最も後方の端部までの長さを「配置奥行ＬＷ」とする。なお、配置幅ＬＶは、配置奥行ＬＷよりも小さい。４つの傾斜部分８２の幅方向に沿う大きさを合計した長さ（以下、「幅合計長さＢＡ」）は、配置幅ＬＶの４倍に等しい。また、４つの傾斜部分８２の足奥行方向に沿う大きさを合計した長さ（以下、「奥行合計長さＢＢ」）は、配置奥行ＬＷに等しい。幅合計長さＢＡは、奥行合計長さＢＢよりも大きい。
【００５４】
・上記実施形態のマッサージ機１は、脚および足Ｆを幅方向に移動させる右側部エアバッグ３４および左側部エアバッグ３５を有する。一方、変形例のマッサージ機１は、脚および足Ｆを足奥行方向に移動させる奥行エアバッグを有する。奥行エアバッグは、後部エアバッグ３６と、脚の前方に配置される前部エアバッグとにより構成される。後部エアバッグ３６および前部エアバッグが交互に圧縮および収縮を繰り返すことにより、脚および足Ｆが足奥行方向に沿って移動する。また、電熱線７０の蛇行部分は、奥行長さＬＢを合計した長さが幅長さＬＡを合計した長さよりも大きくなるように配置される。具体的には、図５の電熱線７０の蛇行部分７１がシート５３に対して９０度回転した態様で蛇行する。なお、この場合、足奥行方向は「Ａ方向」に相当し、幅方向は「Ｂ方向」に相当する。また、前部エアバッグおよび後部エアバッグの一方は「第１移動機構」に相当し、前部エアバッグおよび後部エアバッグの他方は「第２移動機構」に相当する。
【００５５】
・上記実施形態のマッサージ機１は、右側部エアバッグ３４、左側部エアバッグ３５、および後部エアバッグ３６を有する。一方、変形例のマッサージ機１は、右側部エアバッグ３４、左側部エアバッグ３５、後部エアバッグ３６、および脚の前方に配置される前部エアバッグを有する。そして、右側部エアバッグ３４および左側部エアバッグ３５による脚および足Ｆの幅方向の移動と、後部エアバッグ３６および前部エアバッグによる脚および足Ｆの足奥行方向の移動とを交互に行う。また、幅方向の１回の移動距離は足奥行方向の１回の移動距離よりも大きい。なお、この場合、１回の移動距離は「移動量」に相当する（変形例Ａ）。
【００５６】
・変形例Ａのマッサージ機１は、幅方向の１回の移動距離が足奥行方向の１回の移動距離よりも大きい。一方、さらなる変形例のマッサージ機１は、複数回の幅方向の移動距離の合計が複数回の足奥行方向の移動距離の合計よりも大きい。なお、この場合、複数回の移動距離は「移動量」に相当する。
【００５７】
・変形例Ａのマッサージ機１は、幅方向の１回の移動距離が足奥行方向の１回の移動距離よりも大きい。一方、さらなる変形例のマッサージ機１は、足奥行方向の１回の移動距離が幅方向の１回の移動距離よりも大きい。また、電熱線７０の蛇行部分は、奥行長さＬＢを合計した長さが幅長さＬＡを合計した長さよりも大きくなるように蛇行して配置される。具体的には、図５の電熱線７０の蛇行部分７１がシート５３に対して９０度回転した態様で蛇行する。なお、この場合、足奥行方向は「Ａ方向」に相当し、幅方向は「Ｂ方向」に相当する。
【００５８】
・変形例Ａのマッサージ機１は、右側部エアバッグ３４および左側部エアバッグ３５による脚および足Ｆの幅方向の移動と、後部エアバッグ３６および前部エアバッグによる脚および足Ｆの足奥行方向の移動とを交互に行う。一方、さらなる変形例のマッサージ機１は、右側部エアバッグ３４および左側部エアバッグ３５による脚および足Ｆの幅方向の移動と、後部エアバッグ３６および前部エアバッグによる脚および足Ｆの足奥行方向の移動とを同時に行う。すなわち、脚および足Ｆは、電熱線７０の上を、円形を描くように移動する。
【００５９】
・上記実施形態のマッサージ機１は、右側部エアバッグ３４および左側部エアバッグ３５を有する。一方、変形例のマッサージ機１は、右側部エアバッグ３４および左側部エアバッグ３５の一方を省略している。
【００６０】
・上記実施形態のマッサージ機１は、足裏を幅方向に移動させる移動機構として右側部エアバッグ３４および左側部エアバッグ３５を有する。一方、変形例のマッサージ機１は、足裏を幅方向に移動させる移動機構としてピストンを有する。
【００６１】
・上記実施形態のマッサージ機１は、下腿に接触する右側部エアバッグ３４および左側部エアバッグ３５を有する。一方、変形例のマッサージ機１は、足Ｆに接触する右側部エアバッグおよび左側部エアバッグを有する。
【００６２】
・上記実施形態のマッサージ機１は、オットマン２０に右側部エアバッグ３４および左側部エアバッグ３５を有する。一方、変形例のマッサージ機１は、肘掛１３に右側部エアバッグおよび左側部エアバッグを有する。この場合、電熱線７０は、座部１１に配置され、生体としての臀部および上腿に温感を付与する。また、オットマン２０を省略することもできる。
【００６３】
・上記実施形態のマッサージ機１は、オットマン２０に右側部エアバッグ３４および左側部エアバッグ３５を有する。一方、変形例のマッサージ機１は、背もたれ１２の幅方向の両端部に右側部エアバッグおよび左側部エアバッグを有する。この場合、電熱線７０は、背もたれ１２に配置され、生体としての背中および腰に温感を付与する。なお、この場合オットマン２０を省略することもできる。
【００６４】
・上記実施形態のマッサージ機１は、施術突起５１の突出量を変更するエアバッグ５２を有する。一方、変形例のマッサージ機１は、エアバッグ５２を省略している。
・上記実施形態のマッサージ機１は、１つの足裏支持部５０に１つの施術突起５１を有する。一方、変形例のマッサージ機１は、１つの足裏支持部５０に複数の施術突起５１を有する。
【００６５】
・上記実施形態のマッサージ機１は、チェア１０を有する。一方、変形例のマッサージ機は、チェア１０を省略している。この場合、オットマン２０を倒し、寝た状態の脚および足にマッサージを行う。
【００６６】
・本発明は、上記実施形態に例示されるマッサージ機１以外の他のマッサージ機に適用することもできる。要するに、生体を移動させる機能を有するマッサージ機であれば、いずれのマッサージ機に対しても本発明を適用することができる。
【符号の説明】
【００６７】
１…マッサージ機、２０…オットマン、４０…足支持部、３４…右側部エアバッグ（移動機構、第１移動機構、第２移動機構、エアバッグ）、３５…左側部エアバッグ（移動機構、第１移動機構、第２移動機構、エアバッグ）、５１…施術突起、５３…シート（配置面）、７０、８０…電熱線。
【図１】
2013106819.tif 000003
【図２】
2013106819.tif 000004
【図３】
2013106819.tif 000005
【図４】
2013106819.tif 000006
【図５】
2013106819.tif 000007
【図６】
2013106819.tif 000008